(57)【特許請求の範囲】
【請求項１】
建築物等の所定貼付位置に貼着されるブチルゴム粘着性部材からなる粘着テープ部とこれを覆って剥離可能に貼着されるセパレータとからなるシール材であって、前記セパレータの下面の中央部にブチルゴム粘着性部材が貼着されるとともに、前記セパレータが、前記粘着テープ部の貼着位置を目視可能な透明又は半透明の素材から形成されることを特徴とするシール材。
【請求項２】
前記セパレータが透明又は半透明のポリエステルの薄膜材からなり、表裏にシリコーン離型処理を施したものからなる請求項１に記載のシール材。
【請求項３】
前記ポリエステルは単層のフィルムからなる請求項２に記載のシール材。
【請求項４】
前記セパレータが粘着テープのサイズ，形状に対応して着色区分されるものである請求項１に記載の粘着テープのシール材。
【請求項５】
前記粘着テープ部およびセパレータは、一体的に押し出し成形され、巻き取り形状に形成されるものである請求項１に記載のシール材。
【発明の詳細な説明】
【０００１】
【発明の属する技術分野】
本発明は、建築物等の所定位置に正確に貼着可能な粘着テープからなるシール材に関する。
【０００２】
【従来の技術】
例えば、建築物等の開口部等にはサッシが取り付けられ、サッシと外壁との間の隙間をシールするためにシール材が貼着されることが多い。このシール材としては押し出し成形等により巻き取り形成された粘着テープが主に使用される。従来一般に使用されている粘着テープとしては図４に示す粘着テープ５ａが挙げられる。図４は粘着テープ５ａの構成を示す拡大部分断面図であり、この構成からなる素材が輪状に巻き取られたものからなる。
【０００３】
図４，図５に示すように、粘着テープ５ａは粘着テープ部であるブチルゴム４ａとこれを覆って貼着されるセパレータ１ａとから構成される。図４に示すようにセパレータ１ａは中心部に紙８が配置され、この表裏にポリフィルム９，９が貼着され、ポリフィルム９，９の表面はシリコーン３ａにより離型処理される。なお、従来のこの構造のセパレータ１ａの厚みｔは約８０［μｍ］でかなり厚く、手触りで硬く、且つ比較的重量のあるものからなる。図５は前記巻き取り形状のものから引き出された従来の粘着テープ５ａを示すものであり、ブチルゴム４ａはセパレータ１ａのほぼ中央に貼着されている。
【０００４】
【発明が解決しようとする課題】
前記したように、従来のセパレータ１ａは紙８を使用するため不透明なものからなる。従って、図５において点線で示したブチルゴム４ａの位置はセパレータ１ａの表面側からは目視できない。このため、仮に図６に示すように建築物６の開口部のコーナ部７の位置にブチルゴム４ａのコーナを合致させてコーナ部７に沿ってブチルゴム４ａを貼着したい場合においてセパレータ１ａの表面からブチルゴム４ａの貼着位置を確認することができない。そのため、図示のようにブチルゴム４ａがコーナ部７からずれ、例えば、寸法ｆ，ｇのようにコーナ部７からブチルゴム４ａの部分がはみ出して貼着されてしまう問題点がある。そのため、ブチルゴム４ａの貼着位置の修正手直し作業が発生し易く、施工時間が大となる問題点があった。また、ブチルゴム４ａが所定の位置に整然と貼着しにくいため品質が低下し、シール性が不十分となる問題点もある。更に、従来の粘着テープ５ａではセパレータ１ａの中央部にブチルゴム４ａが貼着されない不良品が製作されてもセパレータ１ａが不透明のため不良品の確認が不正確となり、製品の信頼性保持が不十分となる問題点があった。
【０００５】
粘着テープ５ａは所定場所に貼着された状態でしばらくセパレータ１ａを剥離させないでそのまま保持される場合がある。これは、所定の施工が開始されるまでブチルゴム４ａを長時間露出させることによる劣化を防止するためである。然し乍ら、従来のセパレータ１ａは紙８を主素材とするため、水や水分が吸収され、粘着テープ５ａが変形，変質する問題点がある。また、紙８とポリフィルムとの複合フィルムは一般廃棄物であり、自由に焼却することができず、また、焼却処理にもコストと時間がかかる。このため、産業廃棄物となって環境汚染の原因となる問題点もある。更に、従来の粘着テープ５ａは、セパレータ１ａが厚く、腰が強いため、風雨にさらされた場合にセパレータ１ａとブチルゴム４ａとの貼着箇所が風力等により剥がされ、ブチルゴム４ａがむき出しになる問題点もあった。
【０００６】
本発明は、以上の問題点を解決するために創案されたものであり、粘着テープ部のブチルゴムを所定位置に正確に、且つ容易に貼着し得ると共に、軽量で取り扱い易く、水や水分の吸収による劣化もなく、製作時における品質管理がやり易く、製品品質の信頼性の向上が図られ、完全なシール施工ができるため漏水事故の発生が防止されるシール材を提供することを目的とする。
【０００７】
【課題を解決するための手段】
本発明は、以上の目的を達成するために、建築物等の所定貼付位置に貼着されるブチルゴム粘着性部材からなる粘着テープ部とこれを覆って剥離可能に貼着されるセパレータとからなるシール材であって、前記セパレータの下面の中央部にブチルゴム粘着性部材が貼着されるとともに、前記セパレータが、前記粘着テープ部の貼着位置を目視可能な透明又は半透明の素材から形成されることを特徴とする。
【０００８】
また、本発明の請求項２に記載のシール材は、請求項１に記載のシール材において、前記セパレータが透明又は半透明のポリエステルの薄膜材からなり、表裏にシリコーン離型処理を施しものからなることを特徴とする。
【０００９】
また、本発明の請求項３に記載のシール材は、請求項２に記載のシール材において、前記ポリエステルは単層のフィルムからなることを特徴とする。
【００１０】
また、本発明の請求項４に記載のシール材は、請求項１に記載のシール材において、前記セパレータが粘着テープのサイズ，形状に対応して着色区分されるものであることを特徴とする。
【００１１】
また、本発明の請求項５に記載のシール材は、請求項１に記載のシール材において、前記粘着テープ部およびセパレータは、一体的に押し出し成形され、巻き取り形状に形成されるものであることを特徴とする。
【００１２】
本発明のセパレータは、例えば、透明なポリエステルフィルムからなり、貼着された粘着テープ部のブチルゴムをその表面側から目視できる。そのため、ブチルゴムを所定の貼着位置に正確に、且つ容易に貼着することができる。また、ポリエステルは単層のものからなり再生処理が可能であり、また、焼却処理も容易に行われる。また、防水性があり、放置されても劣化が生じにくい。更に軽量であり取り扱い性がよく、コストも安くできる。更に、製作時においてもブチルゴムの貼着位置が明確にわかり、品質管理がやり易く、製品の信頼性の向上が図れる。
【００１３】
【発明の実施の形態】
以下、本発明の粘着テープからなるシール材の実施の形態を図面を参照して詳述する。
図２は本発明の粘着テープ５の全体構成を示す拡大部分断面図である。本発明の粘着テープ５は、セパレータ１と粘着テープ部のブチルゴム４とからなる。セパレータ１は図示のようにポリエステルフィルム２の表裏をシリコーン３，３により離型処理したものからなる。なお、セパレータ１の厚みｔ1 は約２５［μｍ］であり、従来のセパレータ１ａに較べてきわめて薄肉のものからなる。また、ポリエステルフィルム２は透明の素材からなり貼着されているブチルゴム４の貼着位置を表面側から容易に確認することができる。また、ポリエステルフィルム２はシリコーン３の塗布処理による焼けや変形がなく、ブチルゴム４の吐出成形後における蓄熱による変形も生じにくい利点を有する。この点においても従来のセパレータ１ａよりも優れる。
【００１４】
図３は本発明の粘着テープ５の巻き取り状態の形状を模式的に示したものである。ブチルゴム４はポリエステルフィルム２の表面に塗布されているシリコーン３と接触しているため、巻き取り状態の粘着テープ５を図示のようにその端部から引き出すことが容易にできる。従って、現場での施工時には巻き取られている粘着テープ５の状態で取り扱いができ、所定長さだけ引き出すことにより、施工が容易に行われる。
【００１５】
図１は本発明の粘着テープ５を用いた施工作業を示すものである。本例では、セパレータ１の下面の中央部にブチルゴム４が貼着されているが、この状態のブチルゴム４はセパレータ１が透明のためセパレータ１の表面側から目視できる。従って、図示のように建築物６等のコーナ部７の位置にブチルゴム４のコーナを正確に合わせることができ、建築物６の開口部等に沿ってブチルゴム４を正確に貼付することができる。
【００１６】
また、ポリエステルフィルム２は耐熱寸法安定性に優れ、シリコーン３の塗布による焼けや変形も少なく、ブチルゴムの有する吐出成形後の蓄熱による熱影響による変形も生じない。このため、安定した粘着テープ５を形成することができる。また、ポリエステルフィルム２は前記のように約２５［μｍ］程度の薄肉のため、腰がなく、風雨によりポリエステルフィルム２の部分のめくり上りによるブチルゴム４との剥離が生じにくい。また、水や水分の吸収もなく、防水性に優れ変形，変質も発生せず長時間貼付状態で放置しても劣化が生じない。
【００１７】
一方、透明のため、ブチルゴム４の貼付位置のずれが製作時においてすぐに発見され、位置ずれや蛇行状のブチルゴム４を有する不良品がすぐに発見され、品質管理が容易に行われる。なお、以上の説明では本例のポリエステルフィルム２は透明品としたが、半透明のものでもよく、表面側からブチルゴム４の貼着状態を目視できるものであればよい。
【００１８】
前記のように、本発明のセパレータ１はシリコーン離型処理を行ったポリエステルフィルム２を使用したが、ポリエステルフィルム２の替りにＯＰＰ（伸延ポリプロピレン）のフィルムを用いてもよい。この場合、二軸延伸が望ましい。また、シリコーン離型処理におけるディファレンシャルは特に必要がない。但し、ＯＰＰの場合はブチルゴム４の蓄熱による影響が少なく、在庫期間が６ヶ月以内であれば問題はないが、シリコーンがＯＰＰ側に移行する場合もあり長時間の保存する場合には望ましくない。なお、コスト的にはＯＰＰの方が安い。
【００１９】
本発明の粘着テープ５は前記のようにセパレータ１とブチルゴム４とからなるが、セパレータ１の形状，サイズやブチルゴム４の貼付形状，大きさ等は各種のものがある。勿論、セパレータ１が透明又は半透明のため、多種類の粘着テープ５を表示マーク等により区分する必要性は特にないが、例えば、着色の違いにより各種類の粘着テープ５を区別するようにしてもよい。着色により粘着テープ５の透明度はやや低下するが、ブチルゴム４の貼着状態をセパレータ１の表面側から目視することは十分に可能であり、特に問題はない。
【００２０】
以上の説明では粘着テープ５の形状としてフィルム状のセパレータ１とブチルゴムの複合フィルムとしたが、セパレータ１に貼着される粘着部の形状はシート状のブチルゴム４に限るものではなく、ブチルゴムの貼着される相手側のサッシ等の形状に合わせた形態のものでも勿論よい。前記と同様にセパレータ１が透明又は半透明のため、前記粘着部をサッシ等の所定位置に正確に挿入して貼着させることができる。
【００２１】
【発明の効果】
１）本発明の請求項１に記載のシール材によれば、セパレータが粘着テープ部（ブチルゴム）を目視可能の素材から形成されるため、粘着テープ部を貼付位置に正確に、且つ容易に貼着することができる。これにより、シールの安全化と施工効率の向上が図れる。
２）本発明の請求項２に記載のシール材によれば、セパレータがポリエステルの薄肉フィルムからなり、耐熱性防水性を有し、熱変形や水分等による劣化が生じない。そのため、長期間の放置が可能である。また、薄肉で腰が弱いため風雨によるめくり上りがなく、粘着テープ部の長期間の保護が可能になる。
３）本発明の請求項３に記載のシール材によれば、ポリエステルが単層のものからなり、寸法安定性があり、低コストで製作され、且つ再生が可能である。また、処理し易く産業廃棄物にならない。
４）本発明の請求項４に記載のシール材によれば、本発明のセパレータを着色することにより各種類のサイズ，形状の粘着テープの区別が可能になる。なお、着色されても粘着テープ部の目視確認は十分に可能であり、特に問題はない。
５）本発明の請求項５に記載のシール材によれば、本発明の粘着テープは巻き取り成形されるもので長尺に形成され、且つ取り扱い易く、且つ保管も容易にできる。
【図面の簡単な説明】
【図１】  本発明のシール材による貼着作業を示す斜視図。
【図２】  本発明のシール材のセパレータ構造の構成を示す拡大部分断面図。
【図３】  本発明のシール材の巻き取り形態を示す模式図。
【図４】  従来のシール材の構成を示す拡大部分断面図。
【図５】  従来のシール材の構造を示す部分斜視図。
【図６】  従来のシール材の貼着作業時における問題点を説明するための平面図。
【符号の説明】
１  セパレータ
２  ポリエステルフィルム
３  シリコーン
４  ブチルゴム
５  粘着テープ
６  建築物
７  コーナ部
【図１】
0003921276.tif 000002
【図２】
0003921276.tif 000003
【図３】
0003921276.tif 000004
【図４】
0003921276.tif 000005
【図５】
0003921276.tif 000006
【図６】
0003921276.tif 000007